(57)【要約】【課題】一端側が海底の海底固定具に結び付けられ、他端側が柵綱に結び付けられている根尾綱に対する着脱が簡便で、しかも、構造がシンプルで付着物を効率的に取り除くことができるように開発された付着物除去装置を提供する。【解決手段】巻上げロープ３ａと吊下げロープ４ａをそれぞれ結び繋げるロープ繋ぎ部３，４を有する第１、第２の両リング部材１，２を、リング円周の一部において回動可能に枢着し、この枢着部Ｓを支点に、略同心状に重なり合う状態から交差可変自在に重なり合う状態へと自在に変化するようにしている。そして、ロープ繋ぎ部３を、枢着部Ｓの略反対側に位置するリング円周部位に備え、ロープ繋ぎ部４を枢着部Ｓと略同じリング円周部位に備えている。さらに、第１のリング部材１側に、第１、第２の両リング部材１，２相互が枢着部Ｓを支点に略同心状に重なり合ったときに、当該同心状に第１、第２の両リング部材１，２の動きを受け止めるストッパー部５を備えている。【選択図】図１
2010252781.tif 000002
【特許請求の範囲】
【請求項１】
海中に綱によって構築される養殖施設の前記綱から付着物を取り除く付着物除去装置であって、
ロープ繋ぎ部をそれぞれ有する第１のリング部材と第２のリング部材とを備え、
前記第１、第２の両リング部材は、リング円周の一部において回動可能に枢着されて、この枢着部を支点に相互に略同心状に、かつ、交差可変自在に重なり合うように構成されていることを特徴とする付着物除去装置。
【請求項２】
前記第１のリング部材側の前記ロープ繋ぎ部は、前記枢着部が備えられているリング円周の略反対側に位置するリング円周部位に備えられ、
前記第２のリング部材側の前記ロープ繋ぎ部は、前記枢着部と略同じリング円周部位に備えられ、
さらに、前記第１のリング部材側に、前記第２のリング部材が前記枢着部を支点に回動して略同心状に重なり合った時点でその動きを受け止めるストッパー部を備え、
このストッパー部は、前記ロープ繋ぎ部と前記枢着部との間におけるリング円周の略中間部位に備えられていることを特徴とする請求項１に記載の付着物除去装置。
【請求項３】
前記第１、第２の両リング部材は、前記枢着部を支点に略同心状に重なり合ったときにリングの内外に通じる綱通し開口部をそれぞれ備え、
この綱通し開口部は、前記ストッパー部が備えられているリング円周の略反対側に位置するリング円周部位に備えられ、
さらに、前記第１、第２の両リング部材のうち、少なくとも第１のリング部材側の前記綱通し開口部に綱外れ防止部を備え
この綱外れ防止部は、一端側が前記綱通し開口部近傍に固着されて該綱通し開口部との間に前記綱の太さに相当する隙間を確保し、該綱通し開口部をリング円周方向に跨ぎ、かつ、他端側を前記綱通し開口部からリング円周方向に外れた位置において開放させていることを特徴とする請求項１または請求項２に記載の付着物除去装置。
【請求項４】
前記第１のリング部材は、リング円周に沿わせて円周部材を備え、
この円周部材は、少なくとも前記ロープ繋ぎ部側から前記ストッパー部および前記枢着部を通り、前記ロープ繋ぎ部が備えられているリング円周の略反対側に至るリング円周範囲において備えられ、
さらに、前記第１のリング部材は、前記第２のリング部材と協同で前記綱を摺接動自在に挟み込む綱挟み凹部を備えていることを特徴とする請求項１から請求項３のいずれか１項に記載の付着物除去装置。
【発明の詳細な説明】
【技術分野】
【０００１】
本発明は、養殖施設の綱から付着物を取り除くための付着物除去装置に係り、詳しくは、カキ、ホタテ貝などの貝類の幼貝を育成するときに、幼貝が取り付けられる養殖ロープなどを海中に吊り下げ保持する根尾網などに付着している付着物を取り除くために使用される付着物除去装置に関する。
【背景技術】
【０００２】
乱獲や乱取りなどによる漁業資源の減少によって近年では、乱獲から養殖へと移行してきている。特に、二枚貝などの貝類の養殖は、食料資源のみならず、装身用品の確保を目的などから早くから行われている。
例えば、カキ、ホタテ貝などの貝類の養殖では、図７の（ａ）に示す養殖施設Ｂの説明概略図のように、所望な間隔をおいて海底に配置されるコンクリートブロックその他の固定部材からなる海底固定具１００にそれぞれ根尾綱１０１の一端側を取り付け、根尾綱１０１の他端側に桁綱１０２を取り付けて両根尾綱１０１を繋ぐ。そして、海面の数ヶ所の浮球１０３に一端側を取り付けた吊り綱１０４の他端側を桁綱１０３に取り付け、さらに、桁綱１０３自体に浮球１０３を取り付けることで、桁綱１０２を海中に略水平に張架支持させ、この桁綱１０２に、カキ、ホタテ貝などの貝類の幼貝Ｃが取り付けられた多数本の養殖ロープ１０５が吊り下げられるようになっている。
このように、幼貝を海中に吊り下げて育成する貝類の養殖施設としては、例えば、特許文献１などにおいて知られている。
【先行技術文献】
【特許文献】
【０００３】
【特許文献１】特開２０００−１０２３３２号公報
【発明の概要】
【発明が解決しようとする課題】
【０００４】
ところで、幼貝を海中で養殖し、成長貝にするためには、少なくとも２年から３年前後の時間が掛かり、その間に、貝類が取り付けられた養殖ロープを海中に支持する綱、特に、海底から貝類の支持（吊持）水位へと掛け渡される尾根網などには、ムラサキイガイなどの貝類や海藻、その他の付着物が付着する。そして、貝類などの成長に伴って徐々に付着物の重量が増す。
すると、根尾綱が付着物の重みで海底へと垂れ下がり、垂れ下がった根尾綱の一部が海水の流れなどによってコンクリートブロックからなる海底固定具１００に接触し、擦れるなどによって根尾綱が傷つき、最悪の場合は根尾綱が切れてしまうなどのおそれがある。根尾綱が切れた場合は、養殖施設が崩壊、全滅することになるために、付着物を定期的に取り除く除去作業は必須となっている。
【０００５】
そこで、従来では、例えば、２分割されたブロック形状の除去装置、或いは一方のリング部材が固定され、もう一方のリング部材が根尾綱に沿ってスライドさせるように構成されている除去装置などを用いて、根尾綱に付着している付着物を取り除くことが行われていた。
しかしながら、２分割された除去装置では、根尾綱にセットするときに、根尾綱を挟み込むようにブロック体をボルトなどの連結具を用いて連結する構成故に、装置が大型で、根尾綱へのセット、根尾綱から取り外すなどの着脱が面倒で取扱い性が悪いものとなっていた。
【０００６】
ちなみに、根尾綱に除去装置をセットするときには、根尾綱を柵綱とともに漁船に装備されている油圧式などを動力とする巻上げ機によって引き上げて行われ、また、除去装置の上下移動も同じく巻上げ機によって行われるものである。
【０００７】
なお、従来では、定期的な除去作業を行わずに、根尾綱が付着物の重さで海底に垂れないように、根尾綱、棚綱を海中、海面で支持する浮球の数を増やすことで対応することも試みられていたが、浮球の数を増やすことは、その増数分、コストが掛かり、養殖施設の維持管理費が嵩むことなどから、除去装置を用いて定期的に付着物を取り除く除去作業が主流となっている。
【０００８】
そこで、本発明は、前記課題を解消するために創案されたものであり、貝類や海藻、その他の付着物が付着する綱に対する着脱が簡便で、しかも、構造がシンプルで付着物を効率的に取り除くことができるように開発された付着物除去装置を提供することにある。
【課題を解決するための手段】
【０００９】
前記課題を解決するために、本発明では、海中に綱（少なくとも根尾綱、柵綱など）によって構築される養殖施設の前記綱から付着物を取り除く付着物除去装置であって、
ロープ繋ぎ部をそれぞれ有する第１のリング部材と第２のリング部材とを備え、前記第１、第２の両リング部材は、リング円周の一部において回動可能に枢着されて、この枢着部を支点に略同心状に、かつ、交差可変自在に重なり合うように構成されていることを特徴とする。
【００１０】
ここで、前記第１のリング部材側の前記ロープ繋ぎ部には巻き上げロープが結び繋がれ、前記第２のリング部材側の前記ロープ繋ぎ部には吊り下げロープが結び繋がれる。そして、前記第１のリング部材側の前記ロープ繋ぎ部は、該第１のリング部材のリング中心点を境に、前記枢着部の略反対側に位置するリング円周部位に備えられ、前記第２のリング部材側の前記ロープ繋ぎ部は、前記枢着部と略同じリング円周部位に備えられる。さらに、前記第１のリング部材側に、前記第２のリング部材が前記枢着部を支点に回動して同軸状に重なり合った時点で前記第２のリング部材の動きを受け止めるストッパー部を備え、このストッパー部は、前記ロープ繋ぎ部と前記枢着部との間におけるリング円周の略中間部位に備えられているなどの構成を採用することが好適なものとなる。
【００１１】
また、前記第１、第２の両リング部材は、前記枢着部を支点に略同心状に重なり合ったときにリングの内外に通じる綱通し開口部を備え、この綱通し開口部は、前記第１、第２の両リング部材のリング中心点を境に、前記ストッパー部が備えられているリング円周部位の略反対側に位置するリング円周部位に備えられている。さらに、前記第１、第２の両リング部材のうち、少なくとも第１のリング部材側の前記綱通し開口部に綱外れ止め部を備え、この綱外れ防止部は、一端側が前記綱通し開口部近傍に固着されて該綱通し開口部との間に前記綱の太さに相当する隙間を確保し、該綱通し開口部をリング円周方向に跨ぎ、かつ、他端側を前記綱通し開口部からリング円周方向に外れた位置において開放させているなどの構成を採用することが好適なものとなる。
【００１２】
また、前記第１のリング部材は、リング円周に円周部材を備え、この円周部材は、少なくとも前記ロープ繋ぎ部側から前記ストッパー部および前記枢着部を通り、前記第１のリング部材の前記リング中心点を境に、前記ロープ繋ぎ部の略反対側に至るリング円周範囲において備えられている。さらに、前記第１のリング部材は、前記第２のリング部材が前記枢着部を支点に交差可変状に重なり合ったときに、前記第２のリング部材の自重のもとで前記綱を摺接動自在に挟み込む略コの字形状の綱通し凹部を、前記リング中心点を境に、前記ロープ繋ぎ部の略反対側に位置するリング円周部位に備えているなどの構成を採用することが好適なものとなる。
【００１３】
このような構成によれば、リング円周部の一部において回動自在に連結されている第１のリング部材と第２のリング部材を略同心状に重ね合わせた状態で、海中から海面（漁船上）に巻き上げられた付着物が付着している綱を囲繞するようにセットする。この状態で第１、第２の両リング部材を付着物の外側に沿わせて海底へと下ろす。このとき、綱は略垂直にして第２のリング部材のロープ繋ぎ部に結び繋がれている引き下げロープを持って行うことで、第１、第２の両リングの略同軸上の重ね合わせ状態は第１のリング部材に備えられているストッパー部によって保たれ、速やかに海底へと下ろすことができる。第１のリング部材のロープ繋ぎ部に結び繋がれている巻き上げロープは、第１、第２の両リング部材の降下に伴い海中へと引き込まれていく。
このようにして、第１、第２の両リング部材を海底へと下ろし、第１、第２の料リング部材が海底に到着したところで、引き下げロープを緩め、巻き上げロープを、漁船に装備されている巻き上げドラムなどによって巻き上げる。すると、第２のリング部材は、枢着部を支点に自重で回動し、第１のリング部材に対して略交差可変状に重なり合う状態となる。この交差重なり状態は、付着物の付着状態に応じて任意となる。
これにより、綱に付着している付着物は、巻き上げロープが巻き上げられるに伴い、交差する第１、第２の両リング部材によって綱から剥ぎ取られるように取り除かれていく。
【発明の効果】
【００１４】
本発明の付着物除去装置は、以上のように構成されていることで、付着物が付着している綱に第１、第２の両リング部材を同軸上に重ね合わせた状態でセットし、第１、第２の両リング部材を巻き上げドラムなどの巻き上げ機によって上下に移動させることで、枢着部を支点に相互に交差可変自在に重なり合う第１、第２の両リング部材によって、綱に付着している付着物を、綱から剥ぎ取るように取り除くことができる。また、このとき、枢着部を支点に第１、第２の両リング部材の交差重なり状態が相互に小さく可変することで、付着物の除去作業を継続して行うこともできる。
これにより、効率的に除去作業を遂行させることが期待できる。
【００１５】
また、除去作業中において、第１、第２の両リング部材を、第１のリング部材側のロープ繋ぎ部に結び付けられる巻き上げロープによって海面へと巻き上げ、再び、略同心状に重ね合わせて綱が結び付けられている海底の、例えば、コンクリートブロックに向けて第１、第２の両リング部材を降ろすときに、第２のリング部材のロープ繋ぎ部に結び付けられている吊り下げロープによって行うことでできる。つまり、巻き上げロープを放し、吊り下げロープ側で第１、第２の両リング部材を支えると、第１のリング部材は、第２リング部材との枢着部を支点にストッパー部が第２のリング部材のリング円周に当接するように回動し、第１、第２の両リング部材は同軸状に重なり合う。
これにより、綱に付着している付着物に引っ掛かるなどなく、第１、第２の両リング部材を、海底のコンクリートブロックなどからなる固定部材へと速やかに下ろして、除去作業を遂行させることができる。
【００１６】
また、枢着部を支点に回動可能に枢着（連結）されている第１、第２の両リング部材を、同軸状に重ね合わせることで、リングの内外に通じる綱通し開口部を通して、付着物が付着している綱への両リング部材の着脱を行うことができる。また、第１、第２の両リング部材の少なくとも一方側には、綱通し開口部をリング円周方向に跨ぐように綱外れ防止部を備えていることで、綱通し開口部から第１、第２の両リング部材内に入れられた綱が簡単、かつ、不用意に外れることが無い。
これにより、綱が、仮にループ状に連なっているなどの場合であっても、綱に対して第１、第２の両リング部材をセット、そして取り外すなどの着脱を簡便に行うことができる。
【００１７】
また、第２のリング部材が枢着部を支点に可変交差可変状に重なり合う第１のリング部材のリング円周部位に、綱の太さに相当する綱通し凹部が備えられていることで、綱の表面から略完全に付着物を取り除く除去作業が可能となる。
【図面の簡単な説明】
【００１８】
【図１】本発明の実施形態に係る付着物除去装置の第１のリング部材と第２のリング部材とを交差可変状に重ね合わせ状態をリング前方から見たときの正面図である。
【図２】同付着除去装置の第１のリング部材と第２のリング部材とを略同心状に重ね合わせた状態で示す同正面図である。
【図３】第１のリング部材側を示し、（ａ）は、リング前方から見たときの正面図であり、（ｂ）は、その側面図である。
【図４】第２のリング部材側を示し、（ａ）は、リング前方から見たときの正面図であり、（ｂ）は、その側面図である。
【図５】第１、第２の両リング部材の重ね合わせ可変状態をリング前方から見たときのそれぞれの正面図を示し、（ａ）は、略同心状に重ね合わせされた状態を示し、（ｂ）は、（ａ）の状態から交差状に重ね合わせされた状態を示し、（ｃ）は、（ｂ）の状態から交差重ね合わせ状態を可変させたときの状態を示し、（ｄ）は、（ｃ）の状態から交差重ね合わせ状態をさらに可変させたときの状態を示す。
【図６】本実施形態に係る付着物除去装置を、根尾綱にセットまたはそのセットを解除するときの状態を示す斜視図であり、（ａ）は、第１のリング部材の備えられている綱外れ防止部の開放端側から第１、第２の両リング部材の開口位置させた綱通し開口部へと根尾綱を導いた状態を示し、（ｂ）は、第１、第２の両リング部材の綱通し開口部を通して根尾綱をリング内に導く状態を示す。
【図７】カキ、ホタテ貝などの貝類の養殖施設の一例を示す説明概略図であり、（ａ）は、海中における養殖状態を示し、（ｂ）は、根尾綱を海底から海面へと略垂直に巻き上げて付着物除去装置により付着物を除去するときの作業状態を示す。
【発明を実施するための形態】
【００１９】
以下、本発明の実施形態について、適宜図面を参照しながら詳細に説明する。
図１および図２は、本発明の実施形態に係る付着物除去装置を示す正面図であり、図３は、第１のリング部材を示す正面図およびその側面図であり、図４は、第２のリング部材を示す正面図およびその側面図であり、図５は、第１、第２の両リング部材の重ね合わせ可変状態をそれぞれ示す正面図である。
【００２０】
≪付着物除去装置の構成≫
付着物除去装置（以後、単に「除去装置」と称する）Ａは、図１および図２に示すように、リング円周の一部において回動可能に枢着されて、この枢着部Ｓを支点に相互に略同心状に、かつ、交差可変自在に重なり合うように連結される第１のリング部材１と第２のリング部材２とを備えて構成されている。
そして、この第１、第２の両リング部材１，２は、それぞれのリング円周部の一部に、巻き上げロープ３ａと吊り下げロープ４ａがそれぞれ結び繋がれるロープ繋ぎ部３，４を備えている。
これにより、第１、第２の両リング部材１，２は、後記の図７に示す養殖施設Ｂの根尾綱１０１にセットされた状態で、海底から海面、漁船（甲板）上へと巻き上げロープ３ａに支持されて巻き上げられるとき、図１に示すように、枢着部Ｓを支点に相互に交差可変自在に重なり合う。そして、吊り下げロープ４ａに支持されて海底へと吊り下げられるときは、図２に示すように、枢着部Ｓを支点に相互に略同心状に重なり合うようになっている。
【００２１】
≪第１のリング部材の構成≫
第１のリング部材１は、耐腐食性に優れたステンレス製の棒材、或いは、表面に耐腐食性の塗料が表面に塗布された金属製棒材を用いて、図３に示すように、所望の大きさ、例えば、直径が４００ｍｍ程度の大きさを有する略真円形状に形成されている。
そして、この第１のリング部材１は、図３の（ａ）に示すように、リング円周の一部にロープ繋ぎ部３を備え、さらに、リング中心点Ｐ１を境に、ロープ繋ぎ部３が備えられているリング円周側に対し、略反対側（円周略１８０°反対側）に位置するリング円周部位に連結部Ｓ１を備えている。
【００２２】
ロープ繋ぎ部３は、略Ｕ字形状は形成され、図３の（ａ）に示すように、リング中心点Ｐ１を通る直線（対角線）Ｘ上に位置するリング部材１のリング円周部位において、後記する円周部材９に溶接などにより固着されて備えられる。これにより、巻き上げロープ３ａが結び繋がれるようにしている。
【００２３】
連結部Ｓ１は、第２のリング部材２側に備えられる後記の連結ピンＳ２を回動可能に軸支させる内径を有する筒状に形成されている。
そして、連結部Ｓ１は、図３の（ａ）に示すように、リング中心点Ｐ１を通る直線Ｘに対し、リング中心点Ｐ１から、例えば、角度３０°のθ１にて描かれる放射直線Ｚ１上に位置する第１のリング部材１のリング円周部位において、円周部材９に溶接などにより固着されて備えられる。
【００２４】
また、第１のリング部材１は、第１のリング部材１が枢着部Ｓを支点に回動して第２のリング部材２に対して略同心状に重なり合った時点で、その動きを受け止めるためのストッパー部５を備えている。
ストッパー部５は、ロープ繋ぎ部３と連結部Ｓ１との間のリング円周において、直線Ｘと直交するようにリング中心点Ｐ１を通る直交直線Ｙ上に位置する第１のリング部材１のリング円周部位において、円周部材９に溶接などより固着されて、第２のリング部材２が略同心状に重なり合うリング表面側に向けた凸状に備えられる。
【００２５】
さらに、第１のリング部材１は、根尾綱１０１をリング内に導入するための綱通し開口部６を備えている。
綱通し開口部６は、第１、第２の両リング部材１，２を、枢着部Ｓを支点に略同心状に重なり合わせたときに、第２のリング部材２の後記する綱通し開口部７と開口位置が一致し、これにより、後記の図６に示すように、根尾綱１０１を第１、第２の両リング部材１，２のリング内に導入する。換言すれば、根尾綱１０１に対し、第１、第２の両リング部材１，２を、綱方向途中においてセットするための開口である。
この綱通し開口部６は、図３の（ａ）に示すように、リング中心点Ｐ１（直線Ｘ）を挟んで、ストッパー部５が備えられているリング円周側に対し、反対（円周１８０°）側の直交直線Ｙ上に位置する第１のリング部材１のリング円周部位において、根尾綱１０１の太さよりもやや広めか、１．５倍程度の開口幅にて設けられる。
【００２６】
また、第１のリング部材１は、綱通し開口部６から根尾綱１０１が不用意に外れることを防ぐ綱外れ防止部８を備えている。
この綱外れ防止部８は、図３および後記の図６に示すように、一端８ａ側が綱通し開口部６の近傍に溶接などによって固着され、該綱通し開口部６との間に根尾綱１０１の太さに相当する隙間を確保し、該綱通し開口部６をリング円周方向に跨ぎ、かつ、他端８ｂ側を綱通し開口部６からリング円周方向に外れた位置において開放させている略Ｌ字形状に形成されている。
【００２７】
また、第１のリング部材１は、図３に示すように、リング円周（リング外周）に沿わせて円周部材９を備えているとともに、リング円周の一部から円周部材９に跨るように綱挟み凹部１０を備えている。
【００２８】
円周部材９は、図３の（ａ）に示すように、ロープ繋ぎ部３と綱通し開口部６とのリング円周における綱通し開口部６寄りからロープ繋ぎ部３を通り、そしてストッパー部５、連結部Ｓ１を通って綱通し開口部６寄りに至るリング円周範囲において形成されている。
そして、円周部材９は、連結部Ｓ１から綱通し開口部６寄りに位置する第１のリング部材１のリング円周範囲において、他の部分よりもリング外周方向に向けて幅広状に形成されている。
これにより、図１に示すように、ロープ繋ぎ部３に結び繋がられる巻き上げロープ３ａに支持されて巻き上げられるとき、第１のリング部材１の重心が連結部Ｓ、つまり、第２のリング部材２との枢着部Ｓ寄りの下側に来るようにしている。また、円周部材９によって第１のリング部材１の強度が増強されるようにしている。
【００２９】
綱挟み凹部１０は、付着物Ｃの除去時に、殆どの付着物Ｃが根尾綱１０１から取り除かれた最終段階のときに、図３の（ａ）および後記図５の（ｄ）に二点鎖線で示すように、根尾綱１０１が入り、第２のリング部材２との間で根尾綱１０１が挟まれることによって、根尾綱１０１の表面から付着物Ｃを完全に取り除くものである。
この綱挟み凹部１０は、図３の（ａ）に示すように、直線Ｘに対し、リング中心点Ｐ１から、例えば、角度１５°のθ２にて描かれる放射直線Ｚ２上に位置する第１のリング部材１のリング円周部位（連結部Ｓ１と綱通し開口部６との間におけるリング円周）において、円周部材９に跨る形で根尾綱１０１の太さよりも広めの開口にて凹欠状に形成されている。
【００３０】
≪第２のリング部材の構成≫
第２のリング部材２は、第１のリング部材１と同じくステンレス製の棒材、或いは、塗料が塗布された金属製棒材を用いて、第１のリング部材１と略同径とする略真円形状に形成されている。
そして、この第２のリング部材２は、図４に示すように、リング円周の一部にロープ繋ぎ部４を備え、このロープ繋ぎ部４の近くには連結ピンＳ２を備えている。
【００３１】
ロープ繋ぎ部４は、略Ｕ字形状は形成され、図４に示すように、リング中心点Ｐ２を通る直線Ｘに対し、リング中心点Ｐ１から、例えば、角度３５°のθ３にて描かれる放射直線Ｚ３上に位置する第２のリング部材２のリング円周部位において、溶接などにより固着されて備えられる。
【００３２】
連結ピンＳ２は、連結部Ｓ１を貫通する程度の長さに形成されている。この連結ピンＳ２は、図４の（ａ）に示すように、リング中心点Ｐ２を通る直線Ｘに対し、リング中心点Ｐ２から、例えば、角度３０°のθ４にて描かれる放射直線Ｚ４上に位置する第２のリング部材２のリング円周部位において溶接などより固着され、第１のリング部材１が重なり合うリング表面側に向けて備えられる（図４の（ｂ）参照）。
そして、連結ピンＳ２は、連結部Ｓ１に挿入された後に、連結部Ｓ１から突出する突端側にワッシャなどの環状部材１１を備え、この環状部材１１が溶接などによって固着されることで、連結部Ｓ１と連結されて第１、第２の両リング部材１，２を回動可能に枢着するものである（後記の図６参照）。
【００３３】
これにより、第１、第２の両リング部材１，２は、図５の（ａ）に示す略同心状の重なり合い状態から、（ｂ）から（ｄ）にそれぞれ示す交差重なり合い状態へと可変するように、枢着部Ｓを支点にして回動自在に連結されている。
【００３４】
なお、図示を省略しているが、連結部Ｓ１から突出する連結ピンＳ２の突端側に環状部材１１を備え、前記の溶接などによらずに、Ｅ型止め輪（所謂Ｅリング）や割りピンなどを用いて環状部材１１が連結ピンＳ２から抜け外れないようにすることもできる。これにより、例えば、第１、第２の両リング部材１，２のうち、一方側が破損した場合などには、破損側のみを交換することで再利用することができる。
【００３５】
また、第２のリング部材２は、第１のリング部材１側の綱通し開口部６に一致させることで、根尾綱１０１をリング内に導入するための綱通し開口部７を備えている。
綱通し開口部７は、図４の（ａ）に示すように、リング中心点Ｐ２（直線Ｘ）を挟んで、綱繋ぎ部４および連結ピンＳ２が備えられているリング円周側に対し、直線Ｘと直交するようにリング中心点Ｐ２を通る直交直線Ｙ上に位置する第２のリング部材２のリング円周部位において、根尾綱１０１の太さよりもやや広めか、１．５倍程度の開口幅にて設けられる。
【００３６】
［作用説明］
つぎに、以上のように構成されている本実施形態に係る除去装置Ａの使い方について簡単に説明する。
図６は、除去装置を根尾綱にセットまたはそのセットを解除するときの状態をそれぞれ示す斜視図であり、図７は、養殖施設の一例を示す説明概略図である。ここでは、図１、図２、図５、図６を適宜参照しながら説明する。
養殖施設Ｂは、背景技術欄で説明した通り、図７の（ａ）に示すように、所望な間隔をおいて海底に配置されるコンクリートブロックその他の固定部材からなる海底固定具１００にそれぞれ根尾綱１０１の一端側を取り付け、根尾綱１０１の他端側に桁綱１０２を取り付けて両根尾綱１０１を繋ぐ。そして、海面の数ヶ所の浮球１０３に一端側を取り付けた吊り綱１０４の他端側を桁綱１０３に取り付け、さらに、桁綱１０３自体に浮球１０３を取り付けることで、桁綱１０２を海中に略水平に張架支持させ、この桁綱１０２に、カキ、ホタテ貝などの貝類の幼貝Ｃが取り付けられた多数本の養殖ロープ１０５が吊り下げられるようになっている。
【００３７】
このような養殖施設Ｂにおいて、図５に示すように、巻貝や昆布などの付着物Ｄが付着している一方の根尾綱１０１から付着物Ｄを取り除くときには、桁綱１０２の根尾綱１０２との繋ぎ部寄り側を、まず、漁船Ｅに装備されている巻上げ機などによって海面まで吊り上げ、この状態で、長さを確保するために、桁綱１０３に足し綱１０６の一端側を結び付け、ついで、根尾綱１０１と桁綱１０３と繋ぎ部分を解いて、根尾綱１０１に足し綱１０の他端側を結び付ける。これにより、図７の（ｂ）に示すように、根尾綱１０１を海底から略垂直に吊り上げることができる。
【００３８】
そして、根尾綱１０１を略垂直に保持した状態で、第１、第２の両リング部材１，２相互を、枢着部Ｓを支点に回動させて略同心状に重ね合わせることで一致する両リング部材１，２の綱通し開口部６，７を通して根尾綱１０１を両リング部材１，２のリング内に導入する。
このとき、漁船Ｅ上において、図６の（ａ）に示すように、まず、第１のリング部材１側に備えられている綱外れ防止部８の開放端側（他端８ｂ側）から根尾綱１０１を綱通し開口部６，７側へと導くように第１、第２の両リング部材１，２全体を矢印Ｇ方向に回し、次いで、綱通し開口部６，７を通して根尾綱１０１を両リング部材１，２のリング内に導くことで、根尾綱１０１へ除去装置Ａをセットする。
【００３９】
このようにして、根尾綱１０１に除去装置Ａをセットした状態で、第２のリング部材２側のロープ繋ぎ部４に結び繋がれている吊り下げロープ４ａで支持しながら、除去装置Ａを海底の固定部材１００に当たるまで海中へと下ろす。このとき、図２に示す第１、第２の両リング部材１，２の略同心状の重ね合わせ状態は、引き下げロープ４ａによる吊り下げ支持によって保たれる。
そして、第１、第２の両リング部材１，２を固定部材１００まで下ろしたところで、吊り下げロープ４ａを弛ませ、第１のリング部材１のロープ繋ぎ部３に結び繋がれている巻き上げロープ３ａを巻き上げて第１、第２の両リング部材１，２を吊り上げる。すると、第２のリング部材２は枢着部Ｓを支点として自重で回動し、図１および図５の（ｂ）から（ｄ）に示すように、第１のリング部材１に対し、交差可変自在に重なり合う。
これにより、根尾綱１０１に付着している付着物Ｄを表面側から剥ぎ取るようにして取り除く。
【００４０】
除去装置Ａが巻き上げロープ３ａに支持されて海面へと吊り上げられてきたところで、巻き上げロープ３ａを弛ませ、吊り下げロープ４ａの支持に変える。すると、第１のリング部材１は枢着部Ｓを支点として自重で回動し、図２および図５の（ａ）に示すように、第２のリング部材２に対し、略同心状に重なり合う。これにより、付着物Ｄに引っ掛かるなどなく、除去装置Ａを海底へと下ろすことが可能となる。
そして、根尾綱１０１から殆どの付着物Ｄが取り除かれると、根尾綱１０１は、図５の（ｄ）に示すように、第１のリング部材１の綱挟み凹部１０に入り、この状態で第２のリング部材２に挟み込まれて、根尾綱１０１から略全ての付着物Ｄが取り除かれるものである。
【００４１】
付着物Ｄの除去作業が終了し、除去装置Ａを根尾綱１０１から取り外すときには、セット時における前記の操作とは逆の操作を行うことで、除去装置Ａを根尾綱１０１から取り外すことができる。
ちなみに、各根尾綱１０１からの付着物Ｄの除去作業が終了したあとは、足し綱１０６が外され、根尾綱１０１と桁綱１０２とを結び繋げて、養殖施設Ｂは、図７の（ａ）の元の状態に戻される。
【符号の説明】
【００４２】
Ａ      付着物除去装置
１      第１のリング部材
２      第２のリング部材
３，４  ロープ繋ぎ部
３ａ    巻き上げロープ
４ａ    吊り下げロープ
５      ストッパー部
６，７  綱通り開口部
８      綱外れ止め部
９      円周部材
１０    綱挟み凹部
１０１  根尾綱（綱）
Ｓ      枢着部
Ｓ１    連結部
Ｓ２    連結ピン
Ｐ１，Ｐ２  リング中心点
Ｂ      養殖施設
Ｄ      付着物
【図１】
2010252781.tif 000003
【図２】
2010252781.tif 000004
【図３】
2010252781.tif 000005
【図４】
2010252781.tif 000006
【図５】
2010252781.tif 000007
【図６】
2010252781.tif 000008
【図７】
2010252781.tif 000009
【手続補正書】
【提出日】平成22年5月11日(2010.5.11)
【手続補正１】
【補正対象書類名】特許請求の範囲
【補正対象項目名】全文
【補正方法】変更
【補正の内容】
【特許請求の範囲】
【請求項１】
海中に綱によって構築される養殖施設の前記綱から付着物を取り除く付着物除去装置であって、
ロープ繋ぎ部をそれぞれ有する第１のリング部材と第２のリング部材とを備え、
前記第１、第２の両リング部材は、リング円周の一部において回動可能に枢着されて、この枢着部を支点に相互に略同心状に、かつ、交差可変自在に重なり合うように構成されていることを特徴とする付着物除去装置。
【請求項２】
前記第１のリング部材側の前記ロープ繋ぎ部は、前記枢着部が備えられているリング円周の略反対側に位置するリング円周部位に備えられ、
前記第２のリング部材側の前記ロープ繋ぎ部は、前記枢着部と略同じリング円周部位に備えられ、
さらに、前記第１のリング部材側に、前記第２のリング部材が前記枢着部を支点に回動して略同心状に重なり合った時点でその動きを受け止めるストッパー部を備え、
このストッパー部は、前記ロープ繋ぎ部と前記枢着部との間におけるリング円周の略中間部位に備えられていることを特徴とする請求項１に記載の付着物除去装置。
【請求項３】
前記第１、第２の両リング部材は、前記枢着部を支点に略同心状に重なり合ったときにリングの内外に通じる綱通し開口部をそれぞれ備え、
前記第１のリング部材側の前記綱通し開口部は、前記ストッパー部が備えられているリング円周の略反対側に位置するリング円周部位に備えられ、前記第２のリング部材側の前記綱通し開口部は、前記枢着部を支点に前記第１のリング部材が略同心状に重なり合ったときに、該第１のリング部材側の前記綱通し開口部に一致するリング円周部位に備えられ、
さらに、前記第１、第２の両リング部材のうち、少なくとも第１のリング部材側の前記綱通し開口部に綱外れ防止部を備え
この綱外れ防止部は、一端側が前記綱通し開口部近傍に固着されて該綱通し開口部との間に前記綱の太さに相当する隙間を確保し、該綱通し開口部をリング円周方向に跨ぎ、かつ、他端側を前記綱通し開口部からリング円周方向に外れた位置において開放させていることを特徴とする請求項２に記載の付着物除去装置。
【請求項４】
前記第１のリング部材は、リング円周に沿わせて円周部材を備え、
この円周部材は、少なくとも前記ロープ繋ぎ部側から前記ストッパー部および前記枢着部を通り、前記ロープ繋ぎ部が備えられているリング円周の略反対側に至るリング円周範囲において備えられ、
さらに、前記第１のリング部材は、前記第２のリング部材と協同で前記綱を摺接動自在に挟み込む綱挟み凹部を備えていることを特徴とする請求項２または請求項３に記載の付着物除去装置。
【手続補正２】
【補正対象書類名】明細書
【補正対象項目名】００１１
【補正方法】変更
【補正の内容】
【００１１】
また、前記第１、第２の両リング部材は、前記枢着部を支点に略同心状に重なり合ったときにリングの内外に通じる綱通し開口部をそれぞれ備え、前記第１のリング部材側の前記綱通し開口部は、前記ストッパー部が備えられているリング円周の略反対側に位置するリング円周部位に備えられ、前記第２のリング部材側の前記綱通し開口部は、前記枢着部を支点に前記第１のリング部材が略同心状に重なり合ったときに、該第１のリング部材側の前記綱通し開口部に一致するリング円周部位に備えられている。さらに、前記第１、第２の両リング部材のうち、少なくとも第１のリング部材側の前記綱通し開口部に綱外れ止め部を備え、この綱外れ防止部は、一端側が前記綱通し開口部近傍に固着されて該綱通し開口部との間に前記綱の太さに相当する隙間を確保し、該綱通し開口部をリング円周方向に跨ぎ、かつ、他端側を前記綱通し開口部からリング円周方向に外れた位置において開放させているなどの構成を採用することが好適なものとなる。
【手続補正３】
【補正対象書類名】明細書
【補正対象項目名】００２２
【補正方法】変更
【補正の内容】
【００２２】
ロープ繋ぎ部３は、略Ｕ字形状に形成され、図３の（ａ）に示すように、リング中心点Ｐ１を通る直線（対角線）Ｘ上に位置するリング部材１のリング円周部位において、後記する円周部材９に溶接などにより固着されて備えられる。これにより、巻き上げロープ３ａが結び繋がれるようにしている。
【手続補正４】
【補正対象書類名】明細書
【補正対象項目名】００３６
【補正方法】変更
【補正の内容】
【００３６】
［作用説明］
つぎに、以上のように構成されている本実施形態に係る除去装置Ａの使い方について簡単に説明する。
図６は、除去装置を根尾綱にセットまたはそのセットを解除するときの状態をそれぞれ示す斜視図であり、図７は、養殖施設の一例を示す説明概略図である。ここでは、図１、図２、図５を適宜参照しながら説明する。
養殖施設Ｂは、背景技術欄で説明した通り、図７の（ａ）に示すように、所望な間隔をおいて海底に配置されるコンクリートブロックその他の固定部材からなる海底固定具１００にそれぞれ根尾綱１０１の一端側を取り付け、根尾綱１０１の他端側に桁綱１０２を取り付けて両根尾綱１０１を繋ぐ。そして、海面の数ヶ所の浮球１０３に一端側を取り付けた吊り綱１０４の他端側を桁綱１０３に取り付け、さらに、桁綱１０３自体に浮球１０３を取り付けることで、桁綱１０２を海中に略水平に張架支持させ、この桁綱１０２に、カキ、ホタテ貝などの貝類の幼貝Ｃが取り付けられた多数本の養殖ロープ１０５が吊り下げられるようになっている。